(57)【特許請求の範囲】
【請求項１】
ベースバンドデジタルシリアル映像信号の入力の有無を検出する検出手段と、
前記ベースバンドデジタルシリアル映像信号の周波数とは異なる周波数の信号を生成する発振器と、
前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記発振器が生成する信号を選択するセレクタと、
前記セレクタの出力信号を光信号に変換する電気／光変換手段と、
を備える電気／光変換器と、
前記電気／光変換器から受信した光の強度を基に、光回線の切断を検出する光回線切断検出装置と、
を備えることを特徴とする光伝送システム。
【請求項２】
ベースバンドデジタルシリアル映像信号の入力の有無を検出する検出手段と、
直流電源と、
前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記直流電源が生成する信号を選択するセレクタと、
前記セレクタの出力信号を光信号に変換する電気／光変換手段と、
を備える電気／光変換器と、
前記電気／光変換器から受信した光の強度を基に、光回線の切断を検出する光回線切断検出装置と、
を備えることを特徴とする光伝送システム。
【請求項３】
請求項１又は２に記載の光伝送システムにおいて、
前記光回線切断検出装置は、
前記電気／光変換器から受信した光の強度を電圧に変換する光／電圧変換手段と、
前記電圧を所定の電圧と比較することにより二値化する比較手段と、
二値化された前記電圧を積分する積分手段と、
積分された前記電圧が比較電圧未満である時に、アラーム信号を出力するアラーム信号出力手段と、
を備えることを特徴とする光伝送システム。
【請求項４】
請求項１乃至３の何れか１項に記載の光伝送システムにおいて、
前記電気／光変換器は、
前記電気／光変換手段が出力する光の平均強度が目標平均光強度となるように制御をする手段を更に備えることを特徴とする光伝送システム。
【請求項５】
請求項１乃至４の何れか１項に記載の光伝送システムにおいて、
前記電気／光変換器は、
入力したベースバンドデジタルシリアル映像信号に対して、ケーブル補償を行うケーブルイコライザを更に備えることを特徴とする光伝送システム。
【請求項６】
請求項１乃至５の何れか１項に記載の光伝送システムにおいて、
前記電気／光変換器は、
前記ベースバンドデジタルシリアル映像信号からクロック成分を抽出し、該抽出したクロック成分を基に前記ベースバンドデジタルシリアル映像信号のリタイミングを行う送信側リクロッカを更に備えることを特徴とする光伝送システム。
【請求項７】
請求項３に記載の光伝送システムにおいて、
前記光／電圧変換手段は、
受信した光の強度に対応した電流を生成するフォトダイオードと、
前記電流を電圧に変換するアンプと、
を備えることを特徴とする光伝送システム。
【請求項８】
請求項１又は２に記載の光伝送システムにおいて、
受信側に、光の強度から変換された電圧を有する信号からクロック成分を抽出し、該抽出したクロック成分を基に前記信号のリタイミングを行う受信側リクロッカを更に備え、該受信側リクロッカは、ベースバンドデジタルシリアル映像信号の周波数でのリタイミングが正常にできない時に、リクロックアラームを出力することを特徴とする光伝送システム。
【請求項９】
請求項８に記載の光伝送システムにおいて、
受信側に、前記受信側リクロッカが出力する信号のフォーマットをチェックするフォーマット検出手段を更に備え、該フォーマット検出手段は、前記受信側リクロッカが出力する信号からフォーマットを検出できない時に、フォーマット未検出アラームを出力することを特徴とする光伝送システム。
【請求項１０】
ベースバンドデジタルシリアル映像信号の入力の有無を検出する検出手段と、
前記ベースバンドデジタルシリアル映像信号の周波数とは異なる周波数の信号を生成する発振器と、
前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記発振器が生成する信号を選択するセレクタと、
前記セレクタの出力信号を光信号に変換する電気／光変換手段と、
を備えることを特徴とする電気／光変換器。
【請求項１１】
ベースバンドデジタルシリアル映像信号の入力の有無を検出する検出手段と、
直流電源と、
前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記直流電源が生成する信号を選択するセレクタと、
前記セレクタの出力信号を光信号に変換する電気／光変換手段と、
を備えることを特徴とする電気／光変換器。
【請求項１２】
請求項１０又は１１に記載の電気／光変換器において、
前記電気／光変換手段が出力する光の平均強度が目標平均光強度となるように制御する手段を更に備えることを特徴とする電気／光変換器。
【請求項１３】
請求項１０乃至１２の何れか１項に記載の電気／光変換器において、
入力したベースバンドデジタルシリアル映像信号に対して、ケーブル補償を行うケーブルイコライザを更に備えることを特徴とする電気／光変換器。
【請求項１４】
請求項１０乃至１３の何れか１項に記載の電気／光変換器において、
前記ベースバンドデジタルシリアル映像信号からクロック成分を抽出し、該抽出したクロック成分を基に前記ベースバンドデジタルシリアル映像信号のリタイミングを行う送信側リクロッカを更に備えることを特徴とする電気／光変換器。
【請求項１５】
受信した光の強度を電圧に変換する光／電圧変換手段と、
前記電圧を所定の電圧と比較することにより二値化する比較手段と、
二値化された前記電圧を積分する積分手段と、
積分された前記電圧が比較電圧未満である時に、アラーム信号を出力するアラーム信号出力手段と、
光の強度から変換された電圧を有する信号からクロック成分を抽出し、該抽出したクロック成分を基に前記信号のリタイミングを行う受信側リクロッカと、
を備え、
該受信側リクロッカは、ベースバンドデジタルシリアル映像信号の周波数でのリタイミングが正常にできない時に、リクロックアラームを出力することを特徴とする受信側システム。
【請求項１６】
請求項１５に記載の受信側システムにおいて、
前記受信側リクロッカが出力する信号のフォーマットをチェックするフォーマット検出手段を更に備え、該フォーマット検出手段は、前記受信側リクロッカが出力する信号からフォーマットを検出できない時に、フォーマット未検出アラームを出力することを特徴とする受信側システム。
【請求項１７】
請求項１５又は１６に記載の受信側システムにおいて、
前記光／電圧変換手段は、
受信した光の強度に対応した電流を生成するフォトダイオードと、
前記電流を電圧に変換するアンプと、
を備えることを特徴とする受信側システム。
【請求項１８】
ベースバンドデジタルシリアル映像信号の入力の有無を検出する検出ステップと、
前記ベースバンドデジタルシリアル映像信号の周波数とは異なる周波数の信号を生成する発振ステップと、
前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記発振ステップで発振器が生成する信号を選択する選択ステップと、
前記選択ステップにより選択された信号を光信号に変換する電気／光変換ステップと、
を送信側で行い、
前記電気／光変換ステップで生成され、伝送路を経てきた光の強度を基に、光回路の切断を検出する光回路切断検出ステップを受信側で行うことを特徴とする光伝送方法。
【請求項１９】
ベースバンドデジタルシリアル映像信号の入力の有無を検出する検出ステップと、
直流電源より直流電圧を生成する直流電圧生成ステップと、
前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記直流電圧を選択する選択ステップと、
前記選択ステップにより選択された信号を光信号に変換する電気／光変換ステップと、
を送信側で行い、
前記電気／光変換ステップで生成され、伝送路を経てきた光の強度を基に、光回路の切断を検出する光回路切断検出ステップを受信側で行うことを特徴とする光伝送方法。
【請求項２０】
請求項１８又は１９に記載の光伝送方法において、
前記光回路切断検出ステップは、
前記電気／光変換ステップで生成され、伝送路を経てきた光の強度を電圧に変換する光／電圧変換ステップと、
前記電圧を所定の電圧と比較することにより二値化する比較ステップと、
二値化された前記電圧を積分する積分ステップと、
積分された前記電圧が比較電圧未満である時に、アラーム信号を出力するアラーム信号出力ステップと、
を有することを特徴とする光伝送方法。
【請求項２１】
請求項１８又は１９に記載の光伝送方法において、
送信側で、前記電気／光変換ステップで出力する光の平均強度が目標平均光強度となるように制御をするステップを更に有することを特徴とする光伝送方法。
【請求項２２】
請求項１８乃至２１の何れか１項に記載の光伝送方法において、
送信側で入力したベースバンドデジタルシリアル映像信号に対して、ケーブル補償を行うステップを更に有することを特徴とする光伝送方法。
【請求項２３】
請求項１８乃至２２の何れか１項に記載の光伝送方法において、
送信側で前記ベースバンドデジタルシリアル映像信号からクロック成分を抽出し、該抽出したクロック成分を基に前記ベースバンドデジタルシリアル映像信号のリタイミングを行うステップを更に有することを特徴とする光伝送方法。
【請求項２４】
請求項２０に記載の光伝送方法において、
前記光／電圧変換手ステップは、
受信した光の強度に対応した電流を生成するステップと、
前記電流を電圧に変換するステップと、
を有することを特徴とする光伝送方法。
【請求項２５】
請求項１８又は１９に記載の光伝送方法において、
受信側で、光の強度から変換された電圧を有する信号からクロック成分を抽出し、該抽出したクロック成分を基に前記信号のリタイミングを行う受信側リクロックステップを更に有し、該受信側リクロックステップでは、ベースバンドデジタルシリアル映像信号の周波数でのリタイミングが正常にできない時に、リクロックアラームを出力することを特徴とする光伝送方法。
【請求項２６】
請求項２５に記載の光伝送方法において、
受信側で、前記受信側リロックステップで利用するリクロッカが出力する信号のフォーマットをチェックするフォーマット検出ステップを更に有し、該フォーマット検出ステップでは、前記リクロッカが出力する信号からフォーマットを検出できない時に、フォーマット未検出アラームを出力することを特徴とする光伝送方法。
【請求項２７】
ベースバンドデジタルシリアル映像信号の入力の有無を検出する検出ステップと、
前記ベースバンドデジタルシリアル映像信号の周波数とは異なる周波数の信号を生成する発振ステップと、
前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記発振ステップで生成した信号を選択する選択ステップと、
前記選択ステップで選択された出力信号を光信号に変換する電気／光変換ステップと、
を有することを特徴とする電気／光変換方法。
【請求項２８】
ベースバンドデジタルシリアル映像信号の入力の有無を検出する検出ステップと、
直流電源より直流電圧を生成する直流電圧生成ステップと、
前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記直流電圧を選択する選択ステップと、
前記選択ステップで選択された出力信号を光信号に変換する電気／光変換ステップと、
を有することを特徴とする電気／光変換方法。
【請求項２９】
請求項２７又は２８に記載の電気／光変換方法において、
前記電気／光変換ステップで出力する光の平均強度が目標平均光強度となるように制御するステップを更に有することを特徴とする電気／光変換方法。
【請求項３０】
請求項２７乃至２９の何れか１項に記載の電気／光変換方法において、
入力したベースバンドデジタルシリアル映像信号に対して、ケーブル補償を行うステップを更に有することを特徴とする電気／光変換方法。
【請求項３１】
請求項２７乃至３０の何れか１項に記載の電気／光変換方法において、
前記ベースバンドデジタルシリアル映像信号からクロック成分を抽出し、該抽出したクロック成分を基に前記ベースバンドデジタルシリアル映像信号のリタイミングを行う送信側リクロックステップを更に有することを特徴とする電気／光変換方法。
【請求項３２】
受信した光の強度を電圧に変換する光／電圧変換ステップと、
前記電圧を所定の電圧と比較することにより二値化する比較ステップと、
二値化された前記電圧を積分する積分ステップと、
積分された前記電圧が比較電圧未満である時に、アラーム信号を出力するアラーム信号出力ステップと、
光の強度から変換された電圧を有する信号からクロック成分を抽出し、該抽出したクロック成分を基に前記信号のリタイミングを行う受信側リクロックステップを更に有し、該受信側リクロックステップは、ベースバンドデジタルシリアル映像信号の周波数でのリタイミングが正常にできない時に、リクロックアラームを出力することを特徴とする受信方法。
【請求項３３】
請求項３２に記載の受信方法において、
前記受信側リクロックステップで出力する信号のフォーマットをチェックするフォーマット検出ステップを更に有し、該フォーマット検出ステップでは、前記受信側リクロックステップで出力する信号からフォーマットを検出できない時に、フォーマット未検出アラームを出力することを特徴とする受信方法。
【請求項３４】
請求項３２又は３３に記載の受信方法において、
前記光／電圧変換ステップは、
受信した光の強度に対応した電流を生成するステップと、
前記電流を電圧に変換するステップと、
を有することを特徴とする受信方法。
【発明の詳細な説明】
【技術分野】
【０００１】
本発明は、光伝送システム、電気／光変換器、及び受信側システム並びに光伝送方法、電気／光変換方法、及び受信方法に関し、特にベースバンドデジタルシリアル映像信号を伝送する光伝送システム、電気／光変換器、及び受信側システム並びに光伝送方法、電気／光変換方法、及び受信方法に関する。
【背景技術】
【０００２】
光伝送システムの基本的な構成を図６に示す。
【０００３】
図６を参照すると、基本的な光伝送システムは、Ｅ／Ｏ変換器（すなわち、電気／光変換器）２０２、光ファイバ３及びＯ／Ｅ変換器（すなわち、光／電気変換器）２０７を備える。
【０００４】
Ｅ／Ｏ変換器２０２は、入力された電気的なベースバンドデジタルシリアル映像信号を光のベースバンドデジタルシリアル映像信号に変換する。
【０００５】
光ファイバ３は、Ｅ／Ｏ変換器２０２が出力する光のベースバンドデジタルシリアル映像信号を伝送する。
【０００６】
Ｏ／Ｅ変換器２０７は、Ｅ／Ｏ変換器２０２から光ファイバ３を経て入力されてきた光のベースバンドデジタルシリアル映像信号を電気的なベースバンドデジタルシリアル映像信号に変換して、出力する。
【０００７】
図７は、図６に示すＥ／Ｏ変換器２０２の構成例を示す。
【０００８】
図７を参照すると、Ｅ／Ｏ変換器２０２は、ケーブルイコライザ３２、リクロッカ３３、スクランブル回路３８、レーザドライバ３６、レーザダイオード３７を備える。
【０００９】
ケーブルイコライザ３２は、電気的なベースバンドデジタルシリアル映像信号入力のケーブルで生じた伝送路歪みを補正する。
【００１０】
リクロッカ３３は、ケーブルイコライザ３２により伝送路歪みが補正された電気的なベースバンドデジタル映像信号入力からクロックを抽出し、伝送路歪みが補正された電気的なベースバンドデジタル映像信号入力をこのクロックに同期させる。
【００１１】
スクランブル回路３８は、リクロッカによりクロックに同期した電気的なベースバンドデジタル映像信号入力を擬似ランダム信号（Ｍ系列信号など）によりスクランブルする。
【００１２】
レーザドライバ３６は、スクランブル回路３８によりスクランブルされた電気的なベースバンドデジタル映像信号入力によりレーザダイオード３７の発光強度を変調する。
【００１３】
また、レーザドライバ３６は、受光素子３６−１、ＡＧＣ(Automatic Gain Controller)３６−２及び可変ゲインアンプ３６−３を備え、レーザダイオードの平均発光強度を目標平均光強度にする。
【００１４】
図８は、図６に示すＯ／Ｅ変換器２０７の構成例を示す。
【００１５】
図８を参照すると、Ｏ／Ｅ変換器２０７は、フォトダイオード２１、トランスインピーダンスアンプ２２、リミティングアンプ２３、リクロッカ２５、デスクランブル回路３１、バッファ２６、フォーマット検出部２９を備える。
【００１６】
フォトダイオード２１は、Ｅ／Ｏ変換器２０２から光ファイバ３を経てきた光信号入力を電流に変換する。
【００１７】
トランスインピーダンスアンプ２２は、フォトダイオード２１から入力する電流を電圧に変換する。
【００１８】
リミティングアンプ２３は、トランスインピーダンスアンプ２２と容量結合しており、トランスインピーダンス２２から入力した電圧の交流成分を二値化する。また、リミティングアンプ２３は、トランスインピーダンス２２から入力した電圧の交流成分の振幅が不十分である場合には、変調信号振幅低下アラーム２４を出力する。
【００１９】
リクロッカ２５は、リミティングアンプ２３から入力した二値化された信号からクロックを抽出し、二値化された信号をこのクロックに同期させる。また、リクロッカ２５は、クロックの抽出ができないときには、リクロッカアラームを出力する。
【００２０】
デスクランブル回路３１は、スクランブル回路３８に対応したものであり、リクロッカ２５から入力した信号を擬似ランダム信号によりデスクランブルする。
【００２１】
バッファ２６は、デスクランブルにより得られた電気的なベースバンドデジタルシリアル映像信号を一時的に格納する。バッファ２６に一時的に格納された電気的なベースバンドデジタルシリアル映像信号は、バッファ２６から読み出される。
【００２２】
フォーマット検出部２９は、正常なフォーマットをデスクランブル回路３１の出力から得られない場合に、フォーマット未検出アラームを出力する。
【００２３】
このような基本的な構成のベースバンドデジタルシリアル映像信号光伝送システムにおいて、受信側にて入力信号の異常を検出するために、ベースバンドデジタルシリアル映像信号のフォーマットまたは伝送速度から異常検出を行っている。すなわち、フォーマットに異常がある場合には、フォーマット未検出アラーム出力３０を出し、伝送速度に異常がある場合には、リクロックアラーム出力２８を出している。
【００２４】
また、受信側にて光回線の切断を検出するために変調振幅レベルから光回線の切断検出を行っている。すなわち、光回線が切断されている場合には、変調信号振幅低下アラーム２４を出力している。
【特許文献１】特開２００２−３３０１９０号公報
【特許文献２】特開２００７−２７４５３３号公報
【発明の開示】
【発明が解決しようとする課題】
【００２５】
上記の構成では、スクランブル回路３８が常時信号にスクランブルをかけているために、伝送信号は常時交流となり、トランスインピーダンス２２とリミティングアンプ２３との容量結合部においても信号が伝達される。従って、変調信号振幅低下アラーム２４、リクロッカアラーム出力２８及びフォーマット未検出アラーム出力３０を正しく得ることができる。
【００２６】
ところで、スクランブル回路３８及びデスクランブル回路３１はコスト高を招き、できれば、これらの回路を削除したい。他方、ベースバンドデジタルシリアル映像信号入力３１が無信号となる場合もある。すなわち、ベースバンドデジタルシリアル映像信号入力３１が直流となる場合がある。
【００２７】
そうすると、スクランブル回路３８及びデスクランブル回路３１を削除すると、ベースバンドデジタルシリアル映像信号入力３１が無信号である場合、信号は、トランスインピーダンスアンプ２２とリミティングアンプ２３との間の容量で遮断されてしまい、リミティングアンプ２３への入力が無くなってしまう。そうすると、変調信号振幅低下アラーム２４、リクロックアラーム出力２８及びフォーマット未検出アラーム出力３０は、正しく正常／異常の区別を判断することができなくなってしまう。
【００２８】
ここで、変調信号振幅低下アラーム２４は、光回線の切断を示すアラームとして利用される。
【００２９】
そこで、本発明は、スクランブル回路及びデスクランブル回路などのようなコストが嵩む回路が無くても、光回線の切断を示すアラーム出力、リクロックアラーム出力及びフォーマット未検出アラーム出力を正常に得ることができるような光伝送システム、電気／光変換器、及び受信側システム並びに光伝送方法、電気／光変換方法、及び受信方法を提供することを目的とする。
【課題を解決するための手段】
【００３０】
本発明によれば、ベースバンドデジタルシリアル映像信号の入力の有無を検出する検出手段と、前記ベースバンドデジタルシリアル映像信号の周波数とは異なる周波数の信号を生成する発振器と、前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記発振器が生成する信号を選択するセレクタと、前記セレクタの出力信号を光信号に変換する電気／光変換手段と、を備える電気／光変換器と、前記電気／光変換器から受信した光の強度を基に、光回線の切断を検出する光回線切断検出装置と、を備えることを特徴とする光伝送システムが提供される。
【００３１】
また、本発明によれば、ベースバンドデジタルシリアル映像信号の入力の有無を検出する検出手段と、直流電源と、前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記直流電源が生成する信号を選択するセレクタと、前記セレクタの出力信号を光信号に変換する電気／光変換手段と、を備える電気／光変換器と、前記電気／光変換器から受信した光の強度を基に、光回線の切断を検出する光回線切断検出装置と、を備えることを特徴とする光伝送システムが提供される。
【００３２】
更に、本発明によれば、ベースバンドデジタルシリアル映像信号の入力の有無を検出する検出手段と、前記ベースバンドデジタルシリアル映像信号の周波数とは異なる周波数の信号を生成する発振器と、前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記発振器が生成する信号を選択するセレクタと、前記セレクタの出力信号を光信号に変換する電気／光変換手段と、を備えることを特徴とする電気／光変換器が提供される。
【００３３】
更に、本発明によれば、ベースバンドデジタルシリアル映像信号の入力の有無を検出する検出手段と、直流電源と、前記検出手段が、前記ベースバンドデジタルシリアル映像信号の入力が有ることを検出した時には、前記ベースバンドデジタルシリアル映像信号を選択し、前記検出手段が、前記ベースバンドデジタルシリアル映像信号の入力が無いことを検出した時には、前記直流電源が生成する信号を選択するセレクタと、前記セレクタの出力信号を光信号に変換する電気／光変換手段と、を備えることを特徴とする電気／光変換器が提供される。
【００３４】
更に、本発明によれば、受信した光の強度を電圧に変換する光／電圧変換手段と、前記電圧を所定の電圧と比較することにより二値化する比較手段と、二値化された前記電圧を積分する積分手段と、積分された前記電圧が比較電圧未満である時に、アラーム信号を出力するアラーム信号出力手段と、光の強度から変換された電圧を有する信号からクロック成分を抽出し、該抽出したクロック成分を基に前記信号のリタイミングを行う受信側リクロッカと、を備え、該受信側リクロッカは、ベースバンドデジタルシリアル映像信号の周波数でのリタイミングが正常にできない時に、リクロックアラームを出力することを特徴とする受信側システムが提供される。
【００３５】
更に、本発明によれば、ベースバンドデジタルシリアル映像信号の入力の有無を検出する検出ステップと、前記ベースバンドデジタルシリアル映像信号の周波数とは異なる周波数の信号を生成する発振ステップと、前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記発振器が生成する信号を選択する選択ステップと、前記選択ステップにより選択された信号を光信号に変換する電気／光変換ステップと、を送信側で行い、前記電気／光変換ステップで生成され、伝送路を経てきた光の強度を基に、光回路の切断を検出する光回路切断検出ステップを受信側で行うことを特徴とする光伝送方法が提供される。
【００３６】
更に、本発明によれば、ベースバンドデジタルシリアル映像信号の入力の有無を検出する検出ステップと、直流電源より直流電圧を生成する直流電圧生成ステップと、前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記直流電圧を選択する選択ステップと、前記選択ステップにより選択された信号を光信号に変換する電気／光変換ステップと、を送信側で行い、前記電気／光変換ステップで生成され、伝送路を経てきた光の強度を基に、光回路の切断を検出する光回路切断検出ステップを受信側で行うことを特徴とする光伝送方法が提供される。
【００３７】
更に、本発明によれば、ベースバンドデジタルシリアル映像信号の入力の有無を検出する検出ステップと、前記ベースバンドデジタルシリアル映像信号の周波数とは異なる周波数の信号を生成する発振ステップと、前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記発振ステップで生成した信号を選択する選択ステップと、前記選択ステップで選択された出力信号を光信号に変換する電気／光変換ステップと、を備えることを特徴とする電気／光変換方法が提供される。
【００３８】
更に、本発明によれば、ベースバンドデジタルシリアル映像信号の入力の有無を検出する検出ステップと、直流電源より直流電圧を生成する直流電圧生成ステップと、前記検出ステップで、前記ベースバンドデジタルシリアル映像信号の入力が有ることを検出した時には、前記ベースバンドデジタルシリアル映像信号を選択し、前記検出ステップで、前記ベースバンドデジタルシリアル映像信号の入力が無いことを検出した時には、前記直流電圧を選択する選択ステップと、前記選択ステップで選択された出力信号を光信号に変換する電気／光変換ステップと、を備えることを特徴とする電気／光変換方法が提供される。
【００３９】
更に、本発明によれば、受信した光の強度を電圧に変換する光／電圧変換ステップと、前記電圧を所定の電圧と比較することにより二値化する比較ステップと、二値化された前記電圧を積分する積分ステップと、積分された前記電圧が比較電圧未満である時に、アラーム信号を出力するアラーム信号出力ステップと、光の強度から変換された電圧を有する信号からクロック成分を抽出し、該抽出したクロック成分を基に前記信号のリタイミングを行う受信側リクロックステップを更に有し、該受信側リクロックステップは、ベースバンドデジタルシリアル映像信号の周波数でのリタイミングが正常にできない時に、リクロックアラームを出力することを特徴とする受信方法が提供される。
【発明の効果】
【００４０】
本発明によれば、ベースバンドデジタルシリアル映像信号をスクランブルしなくても、光回線が切断しているのか否かを検出することができる。
【発明を実施するための最良の形態】
【００４１】
以下、図面を参照して本発明を実施するための最良の形態について詳細に説明する。
【００４２】
本発明の実施の形態について図面を参照し詳細に説明する。
【００４３】
［実施形態１］
図１は、本発明の実施形態によるベースバンドデジタルシリアル映像信号の光伝送システムの構成を示すブロック図である。
【００４４】
図１と図６とを比較すると明らかなように、本発明の実施形態によるシステムは、基本的な構成のシステムに対し、光検知器４が追加されている。光検知器４は、光ファイバ３とＯ／Ｅ変換器７との間に挿入される。光検知器４は、カプラ５及び光回線切断検出部６を備える。
【００４５】
カプラ５は、光ファイバ３から入力した光を９：１の割合でＯ／Ｅ変換器７と光回線切断検出部６とに分岐する。光回線切断検出部６は、光回線の切断を検出する。
【００４６】
また、図１と図６とを比較すると明らかなように、Ｅ／Ｏ変換器２０２は、Ｅ／Ｏ変換器２に置き換わり、Ｏ／Ｅ変換器２０７は、Ｏ／Ｅ変換器７に置き換わっている。
【００４７】
図２は、Ｅ／Ｏ変換器２の構成例を示すブロック図である。
【００４８】
図２と図７とを比較すると明らかなように、本実施形態によるＥ／Ｏ変換器２は、基本的な構成のＥ／Ｏ変換器２０２と比べ、スクランブル回路３８が削除され、周波数発振器３５とセレクタ３４とが追加されている。
【００４９】
ケーブルイコライザ３２は、ベースバンドデジタルシリアル映像信号が入力されているか否かを判断し、入力されている場合には、セレクタ３４にリクロッカ３３の出力を選択させ、入力されていない場合には、周波数発振器３５の出力を選択させる。
【００５０】
発振器３５の発振周波数は、ＨＤＴＶ(High Definition Television)のベースバンドデジタルシリアル映像信号及びＳＤＴＶ(Standard Television)のベースバンドデジタルシリアル信号と異なる周波数に設定する。すなわち、伝送するベースバンドデジタルシリアル信号と異なる周波数に設定する。こうすることにより受信側のリクロッカ２５で、ベースバンドデジタルシリアル映像信号が送信されてきたのか、又は、発振器３５が生成したシリアル信号が伝送されてきたのかを検出し、後者である場合に、リクロックアラームを出力することができるようになる。
【００５１】
図３は、光検知器４の構成例を示す。
【００５２】
フォトダイオード１１は、カプラから入力した光信号を電流信号に変換する。
【００５３】
トランスインピーダンスアンプ１２は、フォトダイオード１１から入力した電流信号を電圧信号に変換する。
【００５４】
光レベル検出部１３は、トランスインピーダンスから入力した電圧信号の電圧を光切断検出レベル調整１４により示される電圧と比較し、前者のほうが後者よりも高い場合には、ＨＩＧＨレベルの電圧（例えば、５ボルト）を出力し、そうでない場合には、ＬＯＷレベルの電圧（例えば、０ボルト）の電圧を出力する。
【００５５】
ＲＣ積分器１５は、光レベル検出部１３の出力を時間積分する。こうすることにより、ベースバンドデジタルシリアル映像信号入力の変調出力がある場合にも光入力レベルの平均化が行われる。
【００５６】
ＲＣ積分器１５の時定数は、ベースバンドデジタルシリアル映像信号ではパソロジカルパターン（例えば、特許文献２、第９段落、図２参照）と呼ばれるマーク率異常継続期間を考慮して１００ｍｓと設定する。
【００５７】
シュミット回路１６にて光切断検出レベル付近でヒステリシスをもつことによりアラームの安定を行う。
【００５８】
シュミット回路１６の出力を基にアラーム検出部１７でアラームを検出し、アラーム出力１８から光回線の切断を検出する。すなわち、アラーム出力１８は、ベースバンドデジタルシリアル映像信号が入力されているか否かにかかわらず、光回線が切断されているか否かを示す信号となる。
【００５９】
図４は、Ｏ／Ｅ変換器２０７の構成例を示す。
【００６０】
図４と図８とを比較すると明らかなように、本実施形態によるＯ／Ｅ変換器２０７は、基本的な構成のＯ／Ｅ変換器２０７と比べ、デスクランブル回路３１が削除され、リミティングアンプが変調信号振幅低下アラームを出力しない点が異なる。
【００６１】
光回線が切断されている場合には、アラーム出力１８（図３）により、これを検出することができる。この場合、リミティングアンプ２３以降には信号が伝達されないため、リクロックアラーム出力２８（図４）とフォーマット未検出アラーム出力３０（図４）とは無効となる。
【００６２】
光回線が切断されていない場合には、ベースバンドデジタルシリアル映像信号が入力されているか否かにかかわらず、アラーム出力１８は出されない。従って、ベースバンドデジタルシリアル映像信号が入力されているか否かにかかわらず、アラーム出力１８は出されないことを確認することにより、光回線が切断されていないことを確認することができる。
【００６３】
光回線が切断されておらず、ベースバンドデジタルシリアル映像信号が入力されていない場合には、リクロッカ２５（図４）がリクロックアラーム出力２８を出す。従って、アラーム出力１８が出されていない状態において、リクロッカ２５（図４）がリクロックアラーム出力２８を出すか否かにより、ベースバンドデジタルシリアル映像信号が入力されているか否かを確認することができる。
【００６４】
光回線が切断されておらず、ベースバンドデジタルシリアル映像信号のフォーマットに異常がある場合には、フォーマット検出部２９（図４）は、フォーマット未検出アラーム出力３０を出す。従って、アラーム出力１８が出されていない状態において、フォーマット検出部２９（図４）が、フォーマット未検出アラーム出力３０を出すか否かにより、フォーマットに異常があるか否かを確認することができる。
【００６５】
［実施形態２］
図５は、実施形態２におけるＥ／Ｏ変換器２の構成を示すブロック図である。
【００６６】
図５を図２と比較すると明らかなように、周波数発振器３５の代わりに直流電源３５Ｂを利用する。
【００６７】
レーザードライバ３６のＡＧＣ機能により、実施形態１の場合には、ベースバンドデジタルシリアル映像信号入力が選択された場合も、周波数発振器３５の出力が選択された場合も、レーザダイオードから出る光の平均強度は、目標平均光強度であった。これと同様に、実施形態２の場合にも、レーザードライバ３６のＡＧＣ機能により、ベースバンドデジタルシリアル映像信号入力が選択された場合も、直流電源３５Ｂの出力が選択された場合も、レーザダイオードから出る光の平均強度は、目標平均光強度となる。
【００６８】
従って、光回線切断検出部６は、実施形態２でも、実施形態１と同様に動作する。すなわち、光回線切断検出部６は、光回線が切断されているか否かを実施形態１と同様に検出することができる。
【図面の簡単な説明】
【００６９】
【図１】本発明の実施形態による光伝送システムの構成を示すブロック図である。
【図２】図１に示すＥ／Ｏ変換器の実施形態１における構成を示すブロック図である。
【図３】図１に示す光検知器の構成を示すブロック図である。
【図４】図１に示すＯ／Ｅ変換器の構成を示すブロック図である。
【図５】図１に示すＥ／Ｏ変換器の実施形態２における構成を示すブロック図である。
【図６】光伝送システムの基本的な構成を示すブロック図である。
【図７】図６に示すＥ／Ｏ変換器の基本的な構成を示すブロック図である。
【図８】図６に示すＯ／Ｅ変換器の基本的な構成を示すブロック図である。
【符号の説明】
【００７０】
１  ベースバンドデジタルシリアル映像信号入力
２  Ｅ／Ｏ変換器
３  光ファイバ
４  光検知器
５  カプラ光分岐部
６  光回線切断検出部
７  Ｏ／Ｅ変換器
８  ベースバンドデジタルシリアル映像信号出力
９  光信号入力
１１  フォトダイオード
１２  トランスインピーダンスアンプ
１３  光レベル検出部
１４  光切断検出レベル調整
１５  ＲＣ積分器
１６  シュミット回路
１７  アラーム検出部
１８  アラーム出力
１９  光信号出力
２０  光信号入力
２１  フォトダイオード
２２  トランスインピーダンスアンプ
２３  リミティングアンプ
２４  変調信号振幅低下アラーム
２５  リクロッカ
２６  バッファ
２７  ベースバンドデジタルシリアル映像信号出力
２８  リクロックアラーム出力
２９  フォーマット検出部
３０  フォーマット未検出アラーム出力
３１  ベースバンドデジタルシリアル映像信号入力
３２  ケーブルイコライザ
３３  リクロッカ
３４  セレクタ
３５  発振器
３６  レーザドライバ
３７  レーザダイオード
【図１】
0005263650.tif 000002
【図２】
0005263650.tif 000003
【図３】
0005263650.tif 000004
【図４】
0005263650.tif 000005
【図５】
0005263650.tif 000006
【図６】
0005263650.tif 000007
【図７】
0005263650.tif 000008
【図８】
0005263650.tif 000009